(57)【要約】  本発明の洗浄方法は、洗浄槽で上下に昇降可能であり左右に摺動可能な治具に、開口部が下方を向くようにメタルフィルターを装着する段階と；開口部の内部へ洗浄槽に設けられたノズルが進入するように治具を下降させる段階と；前記洗浄槽に前記メタルフィルターが浸漬するように予め定められた量だけの水と洗浄液を投入する段階と；ノズルを介して圧縮空気を噴射して前記メタルフィルターの内部面に向けてバブルを噴出する段階と；前記洗浄槽を排水する段階と；ノズルを介して水を噴射して洗浄液を洗い落とす段階と；ノズルを介して圧縮空気を噴射してメタルフィルターを乾燥させる段階と；を含む。本発明の洗浄装置は、一定のサイズの容量を有して洗浄液タンクと連結された洗浄槽；前記洗浄槽内で上下に昇降可能であり左右に摺動可能であり、メタルフィルターが固定可能な治具；前記洗浄槽内で噴出口が上方を向くように装着され、外部から供給される圧縮空気又は水を洗浄槽の内部に噴射するノズル；前記洗浄液タンクから洗浄液を洗浄槽に供給及び遮断することを調節し、前記ノズルに圧縮空気又は水を供給及び遮断することを調節し、前記治具の動きを制御し、洗浄槽の注水又は排水の可否を制御する制御部；を含み、前記制御部は、治具の動きを制御して水と洗浄液及び圧縮空気を選択的に供給と遮断及び洗浄槽の排水を予め定められたロジックにより制御する。
2022502233.tif 000002
【特許請求の範囲】
【請求項１】
一側に開口部が設けられた筒状に形成され、側面には通孔が形成され、異物が含有された流体が開口部に流入されると通孔で異物が濾過され、流体のみ通孔に排出されるメタルフィルターの洗浄方法であって、
洗浄槽で上下に昇降可能であり左右に摺動可能な治具に、開口部が下方を向くようにメタルフィルターを装着する段階と；
開口部の内部へ洗浄槽に設けられたノズルが進入するように治具を下降させる段階と；
前記洗浄槽に前記メタルフィルターが浸漬するように予め定められた量だけの水と洗浄液を投入する段階と；
ノズルを介して圧縮空気を噴射して前記メタルフィルターの内部面に向けてバブルを噴出する段階と；
前記洗浄槽を排水する段階と；
ノズルを介して水を噴射して洗浄液を洗い落とす段階と；
ノズルを介して圧縮空気を噴射してメタルフィルターを乾燥させる段階と；を含む、メタルフィルターの洗浄方法。
【請求項２】
前記ノズルは、圧縮空気が噴射されるエアノズルと水が噴射されるウォーターノズルが前記洗浄槽で分離して設けられ、圧縮空気又は水の噴射がなされる前に、前記治具は、メタルフィルターの下方から開口部の内部にエアノズル又はウォーターノズルが進入するように昇降及び摺動することを含む、請求項１に記載のメタルフィルターの洗浄方法。
【請求項３】
前記メタルフィルターで濾過される異物は金属酸化物であり、洗浄液と水は１から２の範囲のｐＨ濃度を有するように混合されることを特徴とする、請求項２に記載のメタルフィルターの洗浄方法。
【請求項４】
前記メタルフィルターが乾燥されるとき、圧縮空気は１００から１５０℃に加熱された状態で噴射されることを特徴とする、請求項２または３に記載のメタルフィルターの洗浄方法。
【請求項５】
前記メタルフィルターの内部面に圧縮空気又は水が噴射されるとき、前記治具は上昇／下降を繰り返すことを特徴とする、請求項２から４のいずれか一項に記載のメタルフィルターの洗浄方法。
【請求項６】
前記メタルフィルターの内部面に圧縮空気又は水が噴射されるとき、前記メタルフィルターは軸回転することを特徴とする、請求項２から５のいずれか一項に記載のメタルフィルターの洗浄方法。
【請求項７】
前記メタルフィルターは、パイプ状を有して多数個の通孔が形成された外筒と、前記外筒の内周面に嵌合されてパイプ状を有し、ただし、外筒の通孔よりさらに小さなサイズを有する通孔が形成された内筒とを含むことを特徴とする、請求項２から６のいずれか一項に記載のメタルフィルターの洗浄方法。
【請求項８】
一定のサイズの容量を有して洗浄液タンクと連結された洗浄槽；
前記洗浄槽内で上下に昇降可能であり左右に摺動可能であり、メタルフィルターが固定可能な治具；
前記洗浄槽内で噴出口が上方を向くように装着され、外部から供給される圧縮空気又は水を洗浄槽の内部に噴射するノズル；
前記洗浄液タンクから洗浄液を洗浄槽に供給及び遮断することを調節し、前記ノズルに圧縮空気又は水を供給及び遮断することを調節し、前記治具の動きを制御し、洗浄槽の注水又は排水の可否を制御する制御部；を含み、
前記メタルフィルターの開口部が下に向かうように治具に装着された状態で、前記制御部は開口部を介してノズルがメタルフィルター内部に進入するように治具の動きを制御し、水と洗浄液及び圧縮空気を選択的に供給と遮断及び洗浄槽の排水を予め定められたロジックにより制御し、前記洗浄槽内でメタルフィルターの洗浄と乾燥が順次になされる、メタルフィルターの洗浄装置。
【請求項９】
前記ノズルは、圧縮空気が噴射されるエアノズル、及び前記エアノズルと離隔されて設けられ、水が噴射されるウォーターノズルを含むことを特徴とする、請求項８に記載のメタルフィルターの洗浄装置。
【請求項１０】
前記エアノズルは、圧縮空気が貯蔵されたエアタンクと連結され、前記ウォーターノズルは水が貯蔵されたウォータータンクと連結され、ただし、前記エアノズルとエアタンクの間に設けられたバルブと、前記ウォーターノズルとウォータータンクの間に設けられたバルブとは、制御部により開閉が調節されることを特徴とする、請求項９に記載のメタルフィルターの洗浄装置。
【請求項１１】
前記エアノズルは、洗浄槽に水が溜まった状態で圧縮空気を噴射するとき、水中でバブルを形成し、この際、前記バブルはエアノズルで形成される地点よりメタルフィルターの内部面に接触するようになる地点がさらに高いところに位置するように噴射されることを特徴とする、請求項９または１０に記載のメタルフィルターの洗浄装置。
【請求項１２】
前記メタルフィルター内にノズルが進入された状態で前記メタルフィルターは、上端に結合されたグリッパーの回転により回転可能であることを特徴とする、請求項８から１１のいずれか一項に記載のメタルフィルターの洗浄装置。
【請求項１３】
前記洗浄槽は、上側が開口された形状を有し、上側を覆うカバーにより開閉がなされることを特徴とする、請求項８から１２のいずれか一項に記載のメタルフィルターの洗浄装置。
【請求項１４】
前記洗浄槽は、前記カバーが前記洗浄槽を閉鎖した状態で洗浄がなされ、内部圧力が上昇すると空気又は液体を排出させるリリースバルブを含むことを特徴とする、請求項１３に記載のメタルフィルターの洗浄装置。
【発明の詳細な説明】
【技術分野】
【０００１】
本発明は、メタルフィルターの洗浄装置及び洗浄方法に関し、さらに詳細には、１つの洗浄槽内で洗浄、すすぎ及び乾燥がなされて従来の洗浄方式に比べて空間活用度が高く、洗浄時間を短縮することができ、洗浄効率が増大したメタルフィルターの洗浄装置及び洗浄方法に関する。
【背景技術】
【０００２】
二次電池用正極活物質は、リチウム原料と前駆体が混合して製造され、前記前駆体は、主に化学反応器内で固体状態で沈澱される沈澱法を介して製造される。前記前駆体は、化学反応器内で金属混合溶液、苛性ソーダ、アンモニアなどと共沈反応して沈澱がなされる。このとき、液体状態の物質は、フィルターを介して反応物（前駆体）のみ前記化学反応槽に残るようになり、濾液（反応物以外の液体）は化学反応槽の外に排出される。
【０００３】
様々な種類のフィルターが用いられもするが、大規模の生産施設では高温高圧に対する耐久性及び経済性などを理由にメタルフィルターが用いられる。
【０００４】
前記メタルフィルターは、鋼線がメッシュ（網）状をなすように組織されたメッシュフィルター、メッシュフィルターの形状を有する外筒と、前記外筒内に挿入され、ただし、外筒の通孔よりさらに目が細かく小さな直径を有する通孔が形成される内筒と、を含むメタルファイバーフィルター、金属粉末を高温高圧下で焼結してパイプ状に製造されるメタル焼結フィルターなどに分類され得る。
【０００５】
前記メタルフィルターは、液体内に含有されたサイズの大きい異物を濾過する方式、すなわち、通孔を介して液体は通過させるが、異物は通孔を通過することができずに濾過される方式で用いられるので、異物が通孔に濾過された状態では液体の通過が漸次困難となるため、周期的な洗浄が要求される。
【０００６】
前駆体の製造工程中に用いられていたメタルフィルターは、超音波洗浄方式を介して洗浄がなされた。前記超音波洗浄方式は、ＮａＯＨが添加された洗浄液を超音波洗浄機に入れ、使用中のメタルフィルターを１〜３時間ほど浸した後、前記洗浄液に超音波を加えて洗浄がなされる方式である。超音波洗浄後、メタルフィルターは上水が噴射されるすすぎ槽に移動されてすすがれた後、乾燥して洗浄が完了した。
【発明の概要】
【発明が解決しようとする課題】
【０００７】
本発明は、従来の超音波洗浄方式に比べて設置面積をさらに小さく占め、洗浄効率が向上され、洗浄時間が短縮されるメタルフィルターの洗浄装置及び洗浄方法を提供することに主な目的がある。
【課題を解決するための手段】
【０００８】
前述のような目的を達成するための本発明は、一側に開口部が設けられた筒状に形成され、側面には通孔が形成され、異物が含有された流体が開口部に流入されると通孔で異物が濾過され、流体のみ通孔に排出されるメタルフィルターの洗浄方法を提供する。本発明の洗浄方法は、洗浄槽で上下に昇降可能であり左右に摺動可能な治具に、開口部が下方を向くようにメタルフィルターを装着する段階と；開口部の内部へ洗浄槽に設けられたノズルが進入するように治具を下降させる段階と；前記洗浄槽に前記メタルフィルターが浸漬するように予め定められた量だけの水と洗浄液を投入する段階と；ノズルを介して圧縮空気を噴射して前記メタルフィルターの内部面に向けてバブルを噴出する段階と；前記洗浄槽を排水する段階と；ノズルを介して水を噴射して洗浄液を洗い落とす段階と；ノズルを介して圧縮空気を噴射してメタルフィルターを乾燥させる段階と；を含む。
【０００９】
前記ノズルは、圧縮空気が噴射されるエアノズルと水が噴射されるウォーターノズルが前記洗浄槽で分離して設けられ、圧縮空気又は水の噴射がなされる前に、前記治具は、メタルフィルターの下方から開口部の内部にエアノズル又はウォーターノズルが進入するように昇降及び摺動するようになされる。
【００１０】
前記メタルフィルターで濾過される異物は金属酸化物であり、洗浄液と水は１から２の範囲のｐＨ濃度を有するように混合される。
【００１１】
前記メタルフィルターが乾燥されるとき、圧縮空気は１００から１５０℃に加熱された状態で噴射されてよい。
【００１２】
前記メタルフィルターの内部面に圧縮空気又は水が噴射されるとき、前記治具は上昇／下降を繰り返すことができ、二者択一的にまたは同時に、前記メタルフィルターは軸回転することもできる。
【００１３】
本発明の実施形態で洗浄される前記メタルフィルターは、パイプ状を有して多数個の通孔が形成された外筒と、前記外筒の内周面に嵌合されてパイプ状を有し、ただし、外筒の通孔よりさらに小さなサイズを有する通孔が形成された内筒と、を含む。
【００１４】
併せて、本発明は、メタルフィルターの洗浄装置を他の実施形態として追加で提供する。本発明による洗浄装置は、一定のサイズの容量を有して洗浄液タンクと連結された洗浄槽；前記洗浄槽内で上下に昇降可能であり左右に摺動可能であり、メタルフィルターが固定可能な治具；前記洗浄槽内で噴出口が上方を向くように装着され、外部から供給される圧縮空気又は水を洗浄槽の内部に噴射するノズル；前記洗浄液タンクから洗浄液を洗浄槽に供給及び遮断することを調節し、前記ノズルに圧縮空気又は水を供給及び遮断することを調節し、前記治具の動きを制御し、洗浄槽の注水又は排水の可否を制御する制御部；を含み、前記メタルフィルターの開口部が下に向かうように治具に装着された状態で、前記制御部は、開口部を介してノズルがメタルフィルター内部に進入するように治具の動きを制御し、水と洗浄液及び圧縮空気を選択的に供給と遮断及び洗浄槽の排水を予め定められたロジックにより制御し、前記洗浄槽内でメタルフィルターの洗浄と乾燥が順次なされることを特徴とする。
【００１５】
前記ノズルは、圧縮空気が噴射されるエアノズル、及び前記エアノズルと離隔されて設けられ、水が噴射されるウォーターノズルを含む。
【００１６】
前記エアノズルは、圧縮空気が貯蔵されたエアタンクと連結され、前記ウォーターノズルは水が貯蔵されたウォータータンクと連結され、ただし、前記エアノズルとエアタンクの間に設けられたバルブと、前記ウォーターノズルとウォータータンクの間に設けられたバルブとは、制御部により開閉が調節される。
【００１７】
前記エアノズルは、洗浄槽に水が溜まった状態で圧縮空気を噴射するとき、水中でバブルを形成し、この際、前記バブルはエアノズルで形成される地点よりメタルフィルターの内部面に接触するようになる地点がさらに高いところに位置するように噴射される。
【００１８】
前記メタルフィルター内にノズルが進入された状態で、前記メタルフィルターは上端に結合されたグリッパーの回転により回転されてよい。
【００１９】
そして、前記洗浄槽は、上側が開口された形状を有し、上側を覆うカバーにより開閉がなされ、前記洗浄槽は、前記カバーが洗浄槽を閉鎖した状態で洗浄がなされ、内部圧力が上昇すると空気又は液体を排出させるリリースバルブを含む。
【発明の効果】
【００２０】
前記のような構成を有する本発明は、水と洗浄液及び圧縮空気が予め定められたロジックにより自動的供給及び排出がなされ、１つの洗浄槽内でメタルフィルターの洗浄と乾燥が順次になされるので、従来の設備に比べて設置空間を縮小することができ、消耗される水の量を減らすことができるという効果を有する。
【００２１】
本発明で、エアノズルは、洗浄槽に水が溜まった状態で圧縮空気を噴射するとき、水中でバブルを形成するので、前記バブルにより洗浄の効果を増大させることができる。
【００２２】
そして、前記メタルフィルターは、洗浄がなされるか乾燥がなされるとき、選択的に昇降するか回転して遠心力及び／又は慣性により水気及び異物を払い落とすことができるので、洗浄及び乾燥の効率がさらに増大し得る。
【００２３】
併せて、前記洗浄槽は、カバーにより閉鎖された状態で洗浄がなされるので、外部に水が飛ぶ現象を防止することができ、圧縮空気の注入により上昇する内部圧力はリリースバルブにより解消され得る。
【図面の簡単な説明】
【００２４】
【図１】本発明の実施形態による洗浄装置の全体的な様子が単純化され示された図である。
【図２】洗浄槽内に設けられたエアノズルとウォーターノズルの平面図である。
【図３】洗浄槽内で治具に装着されたメタルフィルターにノズル（エアノズル、ウォーターノズル）が挿入される様子、及び前記メタルフィルターが回転する様子が示された正面図である。
【図４】本発明の実施形態による洗浄方法のフローチャートである。
【図５】従来の超音波方式で洗浄されたメタルフィルターの表面状態（ａ）と、本発明の実施形態による方法により酸性を有する洗浄液で洗浄されたメタルフィルターの表面状態（ｂ）とが撮影された写真である。
【図６】本発明の実施形態による洗浄方法でメタルフィルターを洗浄し、ただし、洗浄液が用いられずに水のみで洗浄されたメタルフィルターの表面状態（ｃ）と、水酸化ナトリウム（ＮａＯＨ）洗浄液が用いられて洗浄されたメタルフィルターの表面状態（ｄ）、及び本発明の実施形態による方法により酸性を有する洗浄液で洗浄されたメタルフィルターの表面状態（ｂ）が撮影された写真である。
【図７】内筒の通孔のサイズが３マイクロメートル（μｍ）と５マイクロメートルであるとき、洗浄前と、本発明による洗浄方法で洗浄した後との回復率［％：１００−（重量増加分／本来のメタルフィルターの材料重量）×１００］が示されたグラフ；及び、洗浄前と、本発明による洗浄方法で洗浄した後との重量の増加が示されたグラフ；が示された図である。
【発明を実施するための形態】
【００２５】
以下、図に基づき、本発明について本発明が属する技術分野で通常の知識を有する者が容易に実施できるように詳細に説明する。しかし、本発明は多様に異なる形態に具現されてよく、ここで説明する実施形態に限定されない。
【００２６】
本発明を明確に説明するために説明と関係ない部分は省略し、明細書全体にわたって同一または類似の構成要素に対しては同一の参照符号を付す。
【００２７】
また、本明細書及び特許請求の範囲で用いられた用語や単語は、通常的かつ辞典的な意味に限定して解釈されてはならず、発明者は自身の発明を最良の方法で説明するために、用語の概念を適宜定義することができるとの原則に即し、本発明の技術的思想に適合する意味と概念として解釈されなければならない。
【００２８】
本発明は、一側端（上端又は下端）に開口部が設けられた円筒状で形成され、側面（外周面）には内外部を開通させる通孔が形成され、異物が含有された流体が開口部に流入されると内部壁面で異物が濾過され、流体のみ通孔を介して外部に排出されるメタルフィルターの洗浄装置を実施例１として提供し、洗浄方法を実施例２として提供する。以下、図を参照しつつ、本発明の実施形態をさらに詳細に説明する。
【００２９】
実施例１
本発明は、メタルフィルターの洗浄装置を実施例１として提供する。図１は、本発明の実施形態による洗浄装置の全体的な構成要素が単純化され示された図である。図１に示されたとおり、本発明の洗浄装置は、一つの洗浄槽１０、前記洗浄槽１０内で上昇／下降及び左右摺動が可能な治具２０、エアノズル３０とウォーターノズル４０を含むノズル、及び前記ノズルと治具２０の作動を制御する制御部５０を含む。
【００３０】
前記洗浄槽１０は、一定のサイズの容量を有し、外部に配置された洗浄液タンク６０と連結されて選択的に洗浄液が内部に流入できるようになされ、開口された上部はカバー２１が覆われて内部が閉鎖され得る。前記洗浄槽１０は、洗浄液タンク６０のみならず、圧縮空気が内蔵されたエアタンク３１及び水が内蔵されたウォータータンク４１とも連結され、制御部５０により開閉が調節されるバルブ３２、３３により流入と排出が制御される。
【００３１】
前記治具２０は、洗浄槽１０内で上下に昇降可能であり左右に摺動可能であるようになされ、好ましくは、カバー２１に結合されて移動可能になされる。例えば、前記カバー２１には、治具が摺動可能な専用レールや摺動溝などが設けられてよく、前記治具２０は、油圧又はモーターの力で作動する移動駆動部２２により摺動してよい。または、前記専用レールや摺動溝で動きが固定された状態で、メタルフィルター１が搭載された部分のみ上昇／下降が可能であるようになされてよい。
【００３２】
前記治具２０は、複数個のメタルフィルター１が同時に装着できるようになされ、ただし、前記治具２０の下部からノズル３０、４０が進入して圧縮空気及び水が噴射できるようになされる。そして、前記治具２０の内部には、メタルフィルター１の上端が挟まれるか固定されるグリッパー２３が配置され、前記グリッパー２３は、メタルフィルター１の上端を固定した状態で選択的に回転可能になされてもよい。
【００３３】
前記ノズル３０、４０は、洗浄槽１０の内部に装着され、ただし、噴出口は上方を向くように装着され（または、一部分は洗浄槽の外部に位置するとしても、少なくとも噴出口は洗浄槽内で上方を向くように装着され）、外部から供給される圧縮空気又は水を洗浄槽１０の内部へ下方から上方に向けて噴射するようになされる。
【００３４】
前記ノズルは、圧縮空気が噴射されるエアノズル３０、及び前記エアノズル３０と離隔されて設けられ、水が噴射されるウォーターノズル４０を含む。前記エアノズル３０は圧縮空気が貯蔵されたエアタンク３１と連結され、前記ウォーターノズル４０は水が貯蔵されたウォータータンク４１と連結され、ただし、圧縮空気が供給される経路上に設けられたバルブ３２と、水が供給される経路上に設けられたバルブ３３とは、制御部５０により開閉が調節される。
【００３５】
図１と図２で、前記エアノズル３０とウォーターノズル４０が分離して設けられたものとして示されたが、水と圧縮空気を選択的に分配する分配管（図示省略）が追加されるならば、前記ウォーターノズル４０とエアノズル３０は統合されてもよいはずである。すなわち、前記分配管の入口側は、ウォータータンク４１及びエアタンク３１で連結され、分配管の出口側がエアノズル３０及びウォーターノズル４０で連結された状態で前記分配管の入口側を制御すれば、出口側ノズルから圧縮空気や水が選択的に噴射されるようになすことができるものである。
【００３６】
このように、ノズルから圧縮空気や水が選択的に噴射されれば（治具の移動を短縮させることができるので）、洗浄槽１０のサイズを縮小して洗浄時間を短縮することもできるはずであるが、エアノズル３０とウォーターノズル４０が独立して設けられた構成よりは許容可能な水と圧縮空気の噴射圧力が低下し得るので、エアノズル３０とウォーターノズル４０を図２に示されたとおりに分離するか、又は統合するかの可否は、要求される設計仕様により選択され得るであろう。
【００３７】
併せて、前記メタルフィルター１の内周面に付着している異物がよく落ちるように、前記エアノズル３０とウォーターノズル４０のそれぞれは、圧縮空気と水を噴射するとき、下方から上方に噴射するようになされる。すなわち、図３に示されたとおり、ノズル３０、４０の上端に位置して水または圧縮空気が吐出される噴射口は、噴射が始まる高さより、メタルフィルター１の内周面に噴射された圧縮空気又は噴射された水が接触する地点の高さがさらに高いところに位置するようになされる。これにより、洗浄槽１０に水が溜まった状態でエアノズル３０が圧縮空気を噴射するとき、水中でバブルが形成され、この際、前記バブルはエアノズル３０で形成される地点よりメタルフィルター１の内部面に接触することになる地点がさらに高いところに位置するように噴射される（図３の矢印参照）。
【００３８】
一方、前述のとおり、前記洗浄槽１０は、上側が開口された形状を有し、上側を覆うカバー２１により開閉がなされる。前記カバー２１は、洗浄槽１０の上側全てを覆うことができる十分なサイズを有し、洗浄槽１０と接触する部分には漏水が防止されるようにシーリングが設けられることが好ましい。よって、前記カバー２１が閉じた状態で洗浄がなされるとき、洗浄槽１０内部に圧縮空気又は水が供給されれば、内部圧力が上昇するようになる。
【００３９】
このとき、内部圧力を下げることができるように、前記洗浄槽１０には内部圧力が一定の水準以上に上昇すると、空気又は液体を排出させるリリースバルブ１１が装着されてよい。前記リリースバルブ１１は、制御部５０で開閉が調節されてもよく、制御部５０とは別に内部圧力に反応して自動的に開閉がなされるような構成を有してよい。
【００４０】
本発明の制御部５０は、洗浄液タンク６０と洗浄槽１０を連結するパイプに設けられたバルブ、エアノズルと連結されるパイプに設けられたバルブ３２、ウォーターノズルと連結されるパイプに設けられたバルブ３３などのように、洗浄装置に設けられた制御可能な全てのバルブの開閉を制御し、治具２０の動きを制御することにより、前記洗浄装置の作動を制御する。すなわち、前記制御部５０は、洗浄液を洗浄液タンク６０から洗浄槽１０に供給及び遮断することを調節し、前記ノズル３０、４０に圧縮空気又は水を供給及び遮断することを調節し、前記治具２０の動きを制御し、洗浄槽１０の注水又は排水の可否を制御する。前記制御部５０は、公知の制御機器や制御方法のうち選択的に採用可能であるが、予め定められたロジックにより各構成要素の動作を制御するようにプログラミングされたＰＬＣ制御機（Ｐｒｏｇｒａｍｍａｂｌｅ  Ｌｏｇｉｃ  Ｃｏｎｔｒｏｌｌｅｒ）が選択されることが好ましく、前記で言及されたバルブ３２、３３は、電気的信号により開閉が制御可能なソレノイドバルブからなるのが好ましい。
【００４１】
前記のような構成を有する本発明の洗浄装置は、メタルフィルター１の開口部が下に向かうように治具２０に装着された状態で、前記制御部５０は、開口部を介してノズル３０、４０がメタルフィルター１の内部に進入するように治具２０の動きを制御し、水と洗浄液及び圧縮空気を選択的に供給と遮断し、洗浄槽１０の排水を予め定められたロジックにより制御し、前記洗浄槽１０内でメタルフィルター１の洗浄と乾燥が順次になされる。
【００４２】
実施例２
本発明は、メタルフィルターの洗浄方法を実施例２として提供する。本発明の洗浄方法は、図４に示された順序によりなされる。
【００４３】
フィルター装着段階では、メタルフィルター１を洗浄槽１０で上下に昇降可能であり左右に摺動可能な治具２０に装着する。このとき、前記メタルフィルター１の開口部が下方を向くように装着され、前記治具２０は、下方からノズル３０、４０が進入できるように、開口部が位置する部分にホール（ｈｏｌｅ）が打孔された形状を有する。
【００４４】
前記メタルフィルター１が装着された状態で、図３に示されたとおり、開口部の内部へ洗浄槽１０に設けられたノズル３０、４０が進入するように治具２０を下降させる。このとき、前記メタルフィルター１が下降して内部に進入される一番目のノズルはエアノズル３０である。
【００４５】
前記メタルフィルター１内にエアノズル３０が進入された状態で、前記洗浄槽１０にメタルフィルター１が浸漬するように予め定められた量だけの水と洗浄液が投入される。水はウォーターノズル４０を介して（または別途の給水管を介して）供給され、洗浄液は洗浄液タンク６０から供給される。このとき、二次電池の前駆体の製造に用いられていたメタルフィルター１の内部に固着された異物は、ほとんど金属酸化物である。よって、前記金属酸化物の溶解がさらに容易に行われるように、洗浄液と水は１から２の範囲のｐＨ濃度を有する。すなわち、ｐＨ濃度が２を超過する場合には洗浄の効率が低下することがあり、１未満の場合にはメタルフィルター１の化学的変化がなされ得るため、１から２の範囲のｐＨ濃度を有するように適正量が供給される。
【００４６】
そして、水と洗浄液により前記メタルフィルター１が浸漬すると、前記エアノズル３０ではメタルフィルター１の内部壁面に向けて圧縮空気を噴射する。前記圧縮空気は、液体内でバブルを形成し、前記バブルはメタルフィルター１の内部壁面に衝突するようになる。前記バブルは吸着されていた異物をメタルフィルター１の内部壁面で分離させて洗浄の効果を増大させる。
【００４７】
併せて、前記で説明したとおり、エアノズル３０から圧縮空気が吐出される噴射口は、噴射が始まる高さより、メタルフィルター１の内周面に噴射されるバブルが接触する地点の高さがさらに高いところに位置するようになされる（図３で拡大された部分参照）。このような構造を有することにより、バブルによって分離された異物は重力により落下してメタルフィルター１の開口部の下に排出されるが、前記バブルはメタルフィルター１の特定部分のみ衝突するしかない。このような問題を解消できるように、本発明では、前記メタルフィルター１の内部面に圧縮空気が噴射されるとき、前記治具２０は上昇／下降を繰り返すことができる。そして、前記治具２０が上昇／下降するとき、又は上昇／下降した後で停止したとき、前記治具２０内でメタルフィルター１の上端を把持しているグリッパー２３が回転して前記メタルフィルター１は軸回転することもできる。このような治具２０の上昇／下降により、前記メタルフィルター１の内部壁面は高いところと低いところ全てバブルの衝突を受けることができ、グリッパー２３の回転により、エアノズル３０の噴射口の位置に係わりなく全周囲に沿ってバブルが衝突され得る。併せて、メタルフィルター１が回転されるうちに、遠心力によりメタルフィルター１の外周面に固着された異物が落ちる効果も期待することができる。このように治具２０が上昇／下降してグリッパー２３が回転する動作は、メタルフィルター１にエアノズル３０が進入した場合のみならず、ウォーターノズル４０が進入して（メタルフィルターの内部壁面に）水が噴射される場合にも同様に適用され得る。
【００４８】
バブルの噴射が完了すれば、洗浄槽１０に注水された水と洗浄液の排水がなされる。洗浄槽１０の排水がなされる間、又は洗浄槽の排水がなされた後に治具２０は上昇し、エアノズル３０を離脱してウォーターノズル４０に移動した後、前記ウォーターノズル４０がメタルフィルター１の内部に進入するよう、図３に示されたとおりに下降する。
【００４９】
洗浄液と水の排水が完了してウォーターノズル４０がメタルフィルター１の内部に進入された状態で、前記ウォーターノズル４０は、水を噴射してメタルフィルター１の表面に残留する洗浄液及び異物のカスなどを洗い落とす（すすぐ）。このとき、メタルフィルター１の内部壁面が全体的に洗浄されるように、前記治具２０の上昇／下降及びグリッパー２３の回転が選択的になされてよい。前記メタルフィルター１の外周面は洗浄槽１０に満ちる水により洗浄可能であり、前記洗浄槽１０が満ちる間、エアノズル３０では選択的に圧縮空気を噴射して洗浄槽１０に注水された水で渦流を発生させることができる。このような渦流は、注水された水の流れを発生させてメタルフィルター１のすすぎの効率をさらに増大させることができる。
【００５０】
一方、前記メタルフィルター１は、開口部を介して液体が流入されると通孔で異物が濾過される構造を有するので、内部壁面には異物が固着される一方、外周面には異物の固着がよくなされない。このような場合（外周面がきれいな場合）には、メタルフィルター１の外周面まで洗浄する必要がないので、ウォーターノズル４０から水が噴射されるとき、洗浄槽１０を排水させて前記洗浄槽１０内に水が満ちないようにする構成を有することもできる。このような場合には、洗浄槽１０の排水段階が省略されるので、洗浄時間を短縮させることができる。
【００５１】
水洗浄が完了すれば、前記治具２０は再び上昇した後に移動し、エアノズル３０がメタルフィルター１の内部に進入するように下降する。下降が完了した状態で、前記エアノズル３０では圧縮空気を噴射してメタルフィルター１を乾燥させる。前記メタルフィルター１が乾燥されるとき供給される圧縮空気は、１００から１５０℃に加熱された状態で噴射されてよい。
【００５２】
前記圧縮空気は、エアタンク３１内で、またはエアタンク３１に連結されるパイプを通る経路中に加熱されてよく、湿気はできる限り除去された乾燥した状態で噴射がなされる。乾燥がなされるときも、選択的に前記治具２０は昇降が可能であり、グリッパー２３は回転がなされてよい。
【００５３】
乾燥が完了すれば、前記治具２０は（メタルフィルターが装着されるときの）元の位置に復帰してメタルフィルター１は脱去される。
【００５４】
参考として、前記治具２０はカバー２１で摺動及び昇降可能に装着され、グリッパー２３は治具２０で回転可能に装着され、ただし、前記治具２０はカバー２１で摺動のみ可能になされ、カバー２１の上昇／下降により上昇／下降が行われるようになされてよい。そして、前記グリッパー２３は、メタルフィルター１の上端に装着されるものとして示されたが、下端に装着されるようになされてもよいものである。
【００５５】
一方、本発明の実施形態で洗浄される前記メタルフィルター１は、パイプ状を有して格子状の多数個の通孔が形成されたメッシュ構造を有する外筒（β）と、前記外筒（β）の内周面に嵌合されてパイプ状を有し、ただし、外筒（β）の通孔よりさらに小さなサイズの通孔を有して糸束状を有する内筒（α）と、を含むメタルファイバーフィルターである。前記メタルファイバーフィルターは、外筒は内筒を支持する機能を行い、内筒の通孔のサイズにより濾過される異物の粒子のサイズが決定される。例えば、内筒の通孔のサイズが小さければ小さいほどより小さな粒子まで濾過することができるが、これに比例して洗浄されなければならない異物の量は増加するであろう。
【００５６】
［試験例１］
超音波洗浄と本発明の実施例２による洗浄の方法の洗浄状態の比較
超音波洗浄（比較例１）
水酸化ナトリウム基盤の洗浄液が一定量添加された水を超音波洗浄機に入れ、異物が内部に固着されたメタルフィルターを注水させた後、前記フィルターを３時間の間洗浄した（超音波振動数は４０ｋＨｚ）。そして、超音波洗浄機からメタルフィルターを抜き取った後、水を噴射してすすぐ作業を１時間の間行った後に乾燥した。
【００５７】
本発明の実施例２による洗浄
塩化水素（ＨＣｌ）成分の洗浄液と水を適正な濃度（ＨＣｌ  ０．０５〜０．１ｍｏｌ／Ｌ）で混合した混合液にメタルフィルターが浸漬した状態でバブルの噴射が進められた。このとき、洗浄前のメタルフィルターは、超音波洗浄に用いられたメタルフィルターとほぼ類似した程度に異物が内部に固着された状態である。前記混合液は温度が５０℃であり、ｐＨは１．０〜２．０である。洗浄槽で洗浄液が排出された後、前記で説明された方法のように水ですすいで乾燥がなされ、この際、乾燥時に加えられる圧縮空気の温度は１００〜１５０℃である。
【００５８】
図５は、比較例１の超音波方式で洗浄されたメタルフィルターの表面状態（ａ）と、本発明の実施例２による方法により酸性を有する洗浄液で洗浄されたメタルフィルターの表面状態（ｂ）とが撮影された写真である。図示されたとおり、従来の超音波方式は、内筒（α）の通孔に固着された異物が残っている一方、バブルの噴射とともに１から２の範囲のｐＨ濃度で酸洗が進められた後、水洗が追加で進められた本発明の洗浄方法では、化学的、物理的に固着された異物を溶かしながら洗浄がなされるので、さらに効率的に洗浄がなされたことを視覚的に確認することができる。
【００５９】
［試験例２］
洗浄液による洗浄状態の比較
水のみ用いた洗浄（比較例２）
本発明の実施例２による洗浄方法でメタルフィルターの洗浄及び乾燥がなされ、ただし、洗浄液の投入が省略された状態で洗浄がなされた。メタルフィルターが水に浸漬した状態でバブルの噴射は同様に進められた。この際、水温は５０℃であり、ｐＨは６．５〜７．５の範囲である。別途のすすぎ過程は省略される代わりに、すすぎの時間ほど洗浄時間を増加させて進めており、乾燥時に加えられる圧縮空気の温度は１００〜１５０℃である。
【００６０】
塩基性洗浄液が投入された洗浄（比較例３）
本発明の実施例２による洗浄方法でメタルフィルターの洗浄、すすぎ、乾燥がなされ、ただし、酸成分の洗浄液の代わりに、塩基性成分の水酸化ナトリウム（ＮａＯＨ）が洗浄液として投入されて洗浄がなされた。メタルフィルターが水に浸漬した状態でバブルの噴射は同様に進められた。このとき、水温は５０℃であり、ｐＨは１０から１１の範囲である。洗浄槽で洗浄液が排出された後、前記で説明された方法のように水ですすいで乾燥がなされた。乾燥時に加えられる圧縮空気の温度は１００〜１５０℃である。
【００６１】
本発明の実施例２による洗浄
塩化水素（ＨＣｌ）成分の洗浄液と水を適正な濃度（ＨＣｌ  ０．０５〜０．１ｍｏｌ／Ｌ）で混合した混合液にメタルフィルターが浸漬した状態でバブルの噴射が進められた。このとき、洗浄前のメタルフィルターは、超音波洗浄に用いられたメタルフィルターとほぼ類似した程度に異物が内部に固着された状態である。前記混合液は温度が５０℃であり、ｐＨは１．０〜２．０である。洗浄槽で洗浄液が排出された後、前記で説明された方法のように水ですすいで乾燥がなされ、この際、乾燥時に加えられる圧縮空気の温度は１００〜１５０℃である。
【００６２】
図６は、比較例２の洗浄液が用いられずに水のみで洗浄されたメタルフィルターの表面状態（ｃ）と、比較例３の水酸化ナトリウム（ＮａＯＨ）洗浄液が用いられて洗浄されたメタルフィルターの表面状態（ｄ）、及び本発明の実施例２による方法により酸性を有する洗浄液で洗浄されたメタルフィルターの表面状態（ｂ）が撮影された写真である。図６では、洗浄液の有無と特性に応じて洗浄の状態を確認することができる。図示されたとおり、塩基性洗浄液を用いる場合（ｄ）も、水のみ用いられる場合（ｃ）よりは洗浄の効果が良好であることを確認することができる。しかし、酸性洗浄液を用いる場合（ｂ）が塩基性洗浄液を用いる場合（ｄ）より内筒の元の状態を維持し（元の表面光沢の維持）、内筒の内部まで洗浄の効果に優れることを確認することができる。
【００６３】
［試験例３］
内筒の通孔のサイズに応じた洗浄効率の比較
図７は、内筒の通孔のサイズが３マイクロメートル（μｍ）と５マイクロメートルであるとき、洗浄前と、本発明による洗浄方法で洗浄した後との回復率（％：１００−（重量増加分／本来のメタルフィルターの重量））が示されたグラフ、及び、洗浄前と、本発明による洗浄方法で洗浄した後との重量の増加が示されたグラフが示された図である。
【００６４】
すなわち、回復率が１００％に近いという表示は、洗浄後に元の状態と近いという意味であり、洗浄後の重量の増加がほとんどないという表示は、メタルフィルターに固着して残っている異物がほとんど洗浄されて除去されたという意味である。
【００６５】
したがって、回復率が１００％にさらに近く、重量の増加がさらに小さく表れた図７から、内筒の通孔のサイズが３マイクロメートルの場合より、５マイクロメートルを有するメタルフィルターの洗浄効率がさらに良好であることを確認することができる。すなわち、内筒の通孔が微細な場合より、通孔の直径が大きくなれば洗浄の効率が増加し得ることを確認することができる。
【００６６】
［試験例４］
洗浄液の成分による洗浄効率の比較
併せて、下記表１は、洗浄液として塩化水素（ＨＣｌ）を用いる場合と硫酸を用いる場合とを比べた表である。
【００６７】
【表１】
2022502233.tif 000003
【００６８】
前記表１に示されたとおり、同一の酸濃度（０．０６Ｍ）であるとき、硫酸より塩化水素の溶解度が若干高いという結果が出た。すなわち、同一の量が投入されるとき、異物を溶解させる効果は塩化水素がさらに高いが、投入量を増大させれば、これに比例して溶解度が増加するので、価格対比の効果を考慮すると、相対的にさらに安価な硫酸を洗浄液として用いるのが好ましいであろう。
【００６９】
前記のような構成を有する本発明は、水と洗浄液及び圧縮空気が予め定められたロジックにより自動的供給及び排出がなされ、１つの洗浄槽１０内でメタルフィルター１の洗浄と乾燥が順次になされるので、従来の設備に比べ設置空間を縮小することができ、消耗される水の量を減らすことができるという効果を有する。
【００７０】
本発明で、エアノズル３０は、洗浄槽に水が溜まった状態で圧縮空気を噴射するとき、水中でバブルを形成するので、前記バブルにより洗浄効果を増大させることができる。
【００７１】
そして、前記メタルフィルター１は、洗浄がなされるか乾燥がなされるとき、選択的に昇降するか回転して遠心力及び／又は慣性により水気及び異物を払い落とすことができるので、洗浄及び乾燥の効率がさらに増大し得る。
【００７２】
併せて、前記洗浄槽１０は、カバー２１により閉鎖された状態で洗浄がなされるので、外部に水が飛ぶ現象を防止することができ、圧縮空気の注入により上昇する内部圧力はリリースバルブ１１により解消され得る。
【００７３】
以上で、本発明はたとえ限定された実施形態と図により説明されたが、本発明はこれにより限定されず、本発明の属する技術分野で通常の知識を有する者により、本発明の技術思想と特許請求の範囲の均等範囲内で多様な実施が可能である。
【図１】
2022502233.tif 000004
【図２】
2022502233.tif 000005
【図３】
2022502233.tif 000006
【図４】
2022502233.tif 000007
【図５】
2022502233.tif 000008
【図６】
2022502233.tif 000009
【図７】
2022502233.tif 000010
【国際調査報告】
2022502233.tif 000011
2022502233.tif 000012
2022502233.tif 000013
2022502233.tif 000014